【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
シート状の媒体に記録を行う記録部と、手差しされた手差媒体が前記記録部へ供給される手差供給路を有する手差媒体供給機構とを備えた記録装置であって、
前記記録装置には、載置部に載置された載置媒体が前記記録部へ搬送される媒体搬送路が設けられ、
前記媒体搬送路は前記載置媒体が湾曲させられながら搬送される湾曲経路を有し、
前記手差供給路は、反重力方向側から重力方向側に向かう方向であって、前記手差媒体の搬送方向と前記載置媒体の搬送方向とが互いに鋭角をなす斜め方向から、前記湾曲経路に合流していることを特徴とする記録装置。
【請求項２】
請求項１に記載の記録装置において、
前記湾曲経路は、当該湾曲経路の内側側面を駆動ローラーの外周面で構成され、
前記手差供給路は、前記駆動ローラーの反重力方向側の外周面に向けて形成されていることを特徴とする記録装置。
【請求項３】
請求項２に記載の記録装置において、
前記手差供給路と前記湾曲経路の合流部分に、前記駆動ローラーに向けて内側に湾曲し、自由端が前記搬送方向の下流に位置した第１のフラップ部材を備え、
前記第１フラップ部材の前記自由端が前記駆動ローラーから離間して位置した状態で、前記載置部に載置された前記載置媒体が搬送され、
前記手差供給路に手差しされた前記手差媒体は、前記第１のフラップ部材を押し下げて前記駆動ローラーに搬送されることを特徴とする記録装置。
【請求項４】
請求項３に記載の記録装置において、
前記手差供給路に手差しされた前記手差媒体が、前記第１のフラップ部材を押し下げて前記駆動ローラーに到達する位置は、前記駆動ローラーの反重力方向の最上位位置から下流側であることを特徴とする記録装置。
【請求項５】
請求項４に記載の記録装置において、
前記駆動ローラーの反重力方向の最上位位置から下流側に、前記駆動ローラーとローラー対をなす従動ローラーを備え、
前記手差供給路に手差しされた前記手差媒体は、前記第１のフラップ部材を押し下げて前記駆動ローラーに到達した後、前記駆動ローラーと前記従動ローラーとで挟持されることを特徴とする記録装置。
【請求項６】
請求項５に記載の記録装置において、
前記手差供給路と前記湾曲経路の合流部分に、前記第１のフラップ部材の外側に対向する固定された第２のフラップ部材を備え、
前記第１のフラップ部材の前記自由端は、前記駆動ローラーから離間して位置した状態で、前記第２のフラップ部材と共に前記手差供給路を閉じるように位置することを特徴とする記録装置。
【請求項７】
請求項６に記載の記録装置において、
前記第２のフラップ部材は、前記第１のフラップ部材に向けて外側に湾曲していることを特徴とする記録装置。
【請求項８】
請求項２ないし７のいずれか一項に記載の記録装置において、
前記駆動ローラーから送出した前記媒体を前記記録部に搬送する搬送ローラーを備え、
前記駆動ローラーによる搬送と、前記搬送ローラーによる搬送とが同時に行われる長さを少なくとも有する短尺の前記媒体を搬送可能であることを特徴とする記録装置。
【手続補正２】
【補正対象書類名】明細書
【補正対象項目名】発明の名称
【補正方法】変更
【補正の内容】
【発明の名称】記録装置
【手続補正３】
【補正対象書類名】明細書
【補正対象項目名】０００１
【補正方法】変更
【補正の内容】
【０００１】
本発明は、手差しされた被記録媒体を給送する手差媒体供給機構を備えた記録装置に関する。
【手続補正４】
【補正対象書類名】明細書
【補正対象項目名】０００７
【補正方法】変更
【補正の内容】
【０００７】
本発明は、上記実情に鑑みてなされたものであり、手差しされる媒体を円滑に記録部へ供給することができる手差媒体供給機構を備える記録装置を提供することを目的とする。
【手続補正５】
【補正対象書類名】明細書
【補正対象項目名】０００８
【補正方法】変更
【補正の内容】
【０００８】
上記目的を達成するために、本発明の記録装置は、シート状の媒体に記録を行う記録部と、手差しされた手差媒体が前記記録部へ供給される手差供給路を有する手差媒体供給機構とを備えた記録装置であって、前記記録装置には、載置部に載置された載置媒体が前記記録部へ搬送される媒体搬送路が設けられ、前記媒体搬送路は前記載置媒体が湾曲させられながら搬送される湾曲経路を有し、前記手差供給路は、反重力方向側から重力方向側に向かう方向であって、前記手差媒体の搬送方向と前記載置媒体の搬送方向とが互いに鋭角をなす斜め方向から、前記湾曲経路に合流している。
【手続補正６】
【補正対象書類名】明細書
【補正対象項目名】００１０
【補正方法】変更
【補正の内容】
【００１０】
本発明の記録装置において、前記湾曲経路は、当該湾曲経路の内側側面を駆動ローラーの外周面で構成され、前記手差供給路は、前記駆動ローラーの反重力方向側の外周面に向けて形成されている。
【手続補正７】
【補正対象書類名】明細書
【補正対象項目名】００１１
【補正方法】変更
【補正の内容】
【００１１】
この構成によれば、湾曲経路の外側側面において変位する搬送路の構成部材によって手差供給路と媒体搬送路とを容易に合流させることができる。
本発明の記録装置において、前記手差供給路と前記湾曲経路の合流部分に、前記駆動ローラーに向けて内側に湾曲し、自由端が前記搬送方向の下流に位置した第１のフラップ部材を備え、前記第１フラップ部材の前記自由端が前記駆動ローラーから離間して位置した状態で、前記載置部に載置された前記載置媒体が搬送され、前記手差供給路に手差しされた前記手差媒体は、前記第１のフラップ部材を押し下げて前記駆動ローラーに搬送される。
【手続補正８】
【補正対象書類名】明細書
【補正対象項目名】００１２
【補正方法】変更
【補正の内容】
【００１２】
この構成によれば、自重によって移動する手差媒体の先端部分によって手差供給路を開くことができるので、手差媒体を円滑に媒体搬送路に挿入することができる。
また、記録部に手差媒体が供給されない場合は、手差供給路を閉じることによって載置媒体を湾曲経路に沿って円滑に搬送することができる。
【手続補正９】
【補正対象書類名】明細書
【補正対象項目名】００１３
【補正方法】変更
【補正の内容】
【００１３】
本発明の記録装置において、前記手差供給路に手差しされた前記手差媒体が、前記第１のフラップ部材を押し下げて前記駆動ローラーに到達する位置は、前記駆動ローラーの反重力方向の最上位位置から下流側である。
この構成によれば、湾曲経路の外側側面において変位する搬送路の構成部材によって手差供給路と媒体搬送路とを容易に合流させることができる。
【手続補正１０】
【補正対象書類名】明細書
【補正対象項目名】００１４
【補正方法】変更
【補正の内容】
【００１４】
本発明の記録装置において、前記駆動ローラーの反重力方向の最上位位置から下流側に、前記駆動ローラーとローラー対をなす従動ローラーを備え、前記手差供給路に手差しされた前記手差媒体は、前記第１のフラップ部材を押し下げて前記駆動ローラーに到達した後、前記駆動ローラーと前記従動ローラーとで挟持される。
この構成によれば、手差媒体を載置部から搬送される載置媒体と同様に、円滑に記録部へ供給することができる。
【手続補正１１】
【補正対象書類名】明細書
【補正対象項目名】００１５
【補正方法】変更
【補正の内容】
【００１５】
本発明の記録装置において、前記手差供給路と前記湾曲経路の合流部分に、前記第１のフラップ部材の外側に対向する固定された第２のフラップ部材を備え、前記第１のフラップ部材の前記自由端は、前記駆動ローラーから離間して位置した状態で、前記第２のフラップ部材と共に前記手差供給路を閉じるように位置する。
この構成によれば、開閉蓋によって、手差媒体以外の異物が手差供給路に入らないように抑制することができる。また、手差供給路を覆うことによって外観を向上させることができる。
【手続補正１２】
【補正対象書類名】明細書
【補正対象項目名】００１６
【補正方法】変更
【補正の内容】
【００１６】
本発明の記録装置において、前記第２のフラップ部材は、前記第１のフラップ部材に向けて外側に湾曲している。
この構成によれば、手差媒体を手差供給路から通常の媒体搬送路へ円滑に差し込むことができる。
【手続補正１３】
【補正対象書類名】明細書
【補正対象項目名】００１７
【補正方法】変更
【補正の内容】
【００１７】
本発明の記録装置において、前記駆動ローラーから送出した前記媒体を前記記録部に搬送する搬送ローラーを備え、前記駆動ローラーによる搬送と、前記搬送ローラーによる搬送とが同時に行われる長さを少なくとも有する短尺の前記媒体を搬送可能である。
【手続補正１４】
【補正対象書類名】明細書
【補正対象項目名】００１８
【補正方法】変更
【補正の内容】
【００１８】
この構成によれば、載置媒体が搬送されるときに通常使用される媒体搬送路に設けられる駆動ローラーと記録部へ媒体を供給する搬送ローラーとの間の距離に応じた短尺の手差媒体であっても、円滑に記録部へ供給することができる。